(57)【要約】棚は、棚材を担持する直立部材と水平なブラケット装置とを含んでいる。本発明のブラケット装置は、２つの別個の部材、すなわちブラケット１と保持部材２とを含んでいる。ブラケット１は、棚材を担持する支持面１０を形成する上端縁を有している。保持部材２は、ブラケット１の受け口部１３、１４に挿入される繋留部分１７と、支持面１０より上に突出する錠止部分１５とを含み、該錠止部分が棚材に係合され、支持面１０上での棚材の滑動が防止される。
2004503322.tif 000002
【特許請求の範囲】
【請求項１】
棚用ブラケット装置であって、棚材担持用の上部支持端縁（１０）を有するブラケット（１）を含む棚用ブラケット装置において、
前記ブラケット（１）の受け口部（１３、１４）内へ挿入して、前記支持端縁（１０）と平行な滑りを防止するように取り付けた繋留部分（１７）と、該繋留部分（１７）を前記受け口部（１３、１４）内へ挿入する場合、前記上部支持端縁（１０）より先方に突出する錠止部分（１５）とを備えた保持部材（２）を有することを特徴とする、棚用ブラケット装置。
【請求項２】
前記ブラケット（１）が、切断または打ち抜きを施された金属薄板部材である、請求項１に記載されたブラケット装置。
【請求項３】
前記ブラケット（１）が、Ｕ字形状横断面を有している、請求項１または請求項２に記載されたブラケット装置。
【請求項４】
前記保持部材（２）が、好ましくはＬ字形状の打ち抜き金属薄板部材であり、該金属薄板部材の一方の脚が前記錠止部分（１５）を形成し、他方の脚が、前記繋留部分（１７）を形成する概ねＺ字形状の遠位端を有している、請求項１から請求項３までのいずれか１項に記載されたブラケット装置。
【請求項５】
前記受け口部が、ブラケット（１）内の凹所（１３）を含み、前記保持部材（２）が、Ｚ字形状の前記繋留部分（１７）を前記凹所（１３）に相互に錠止係合させることにより前記支持端縁（１０）と平行な方向における滑動を防止するように取り付けられている、請求項４に記載されたブラケット装置。
【発明の詳細な説明】
【０００１】
（説明）
本発明は棚（ｓｈｅｌｖｉｎｇ）用のブラケット装置に関するものである。
概して、棚は、直立部材と、ブラケットのフックを直立部材の溝（ｓｌｏｔｓ）に係合させることで直立部材に取り付けられる概ね水平なブラケット（コンソールとも呼ばれる）と、該ブラケットに担持される棚材とを含んでいる。本明細書で、棚材という用語は、棚上に載せ且つ保管する物品を担持し得る板材類、格子類、籠類、トラフ類等のあらゆる部材を指す。
【０００２】
ブラケットの上端縁は、棚材を支える支持端縁または支持面を形成し、しばしば、棚材底面の各突出部と係合する凹部またはスリットを備え、これにより棚材はブラケット上で前後に滑ることのないように錠止される。これについては、ＤＥ−Ｕ−２９７１７７９１またはＧＢ−Ａ−７４８５７８参照のこと。ブラケットには、支持端縁から突出するフックと一体形成されているものもある。それらについてはＤＥ−Ｕ−７２２１８５６またはＦＲ−Ａ−２５０１９８４参照のこと。これらの場合は、小さな凹所が、木製または鋼製の棚材底面の適切な位置に設けられ、それぞれフックが係合することにより棚材の滑りが防止される。幾つかの装置では、直立部材の溝に挿入するための付加的な留め具が備えられ、それによりブラケットから棚材が持ち上がるのが防止されている。これについてはＧＥ−Ａ−２１９４１３４参照のこと。
【０００３】
ブラケットは、概して、手頃な価格で十分に荷重支持能力（ｌｏａｄ ｃａｒｒｙｉｎｇ ｃａｐａｃｉｔｙ）が得られるように、金属薄板を打ち抜いて製造される。しかし、前記フックのために、同じ金属薄板から互いに、直接、隣接する複数ブラケットを打ち抜くことが妨げられる。このため、複数のブラケット間には打ち抜き屑が生じる。
本発明の目的は、ブラケット上で棚材が滑ることのないように錠止可能、かつ安価（ｅｃｏｎｏｍｉｃａｌ）で製造可能な棚用ブラケット装置を得ることにある。
この目的は、請求項１に記載されたブラケット装置により解決された。本発明の好適実施例は、従属請求項に記載されている。
【０００４】
本発明により、ブラケットとは別個の保持部材が得られる。該保持部材は、ブラケットの受け口部内へ挿入可能であり、棚材を担持するブラケット支持端縁より上に突出する。それによって、棚材はブラケット上で滑らないように保持される。保持部材は、ブラケットとは別個に製造できる。支持端縁は、したがって該支持端縁と一体形成された外向きに突出するフック無しで製造できる。一体のフックが無いことで、製造費が低減される。ブラケットは、また棚材を固定する必要がない場合、他の手段で固定できる場合には、保持部材なしでも使用できる。
保持部材はブラケットの受け口部内へ差し込むだけでよいようにするのが好ましい。
【０００５】
請求項２に従って金属薄板の打ち抜きまたは切断により製造されるブラケットは、特に安価である。別個の保持部材には、ブラケットの支持端縁を突出部またはスリットなしで直線状にすることができる利点があり、このためブラケット用素材片（ｂｌａｎｋ）は、多くの打ち抜き屑を生じさせることなく、金属薄板から、直接、相並んだブラケットを得ることができる。
請求項３によるＵ字形状横断面は、高荷重担持能力と捩り強さとを有する利点がある。請求項４および請求項５より、ブラケットおよび保持部材は製造および組み立てが容易になる。
【０００６】
図面は、本発明の一好適実施例を示すものである。
図１に示す棚用ブラケット装置は、ブラケット１と保持部材２とを含んでいる。図２からも分かるように、ブラケット１は、概ね３角形の２つの側壁３、４と底壁５とを有するＵ字形状横断面を有している。図２の正面図は底壁５の前端縁６を示す。
側壁３，４は、それぞれ、塗装、被覆（ｃｏａｔｉｎｇ）、輸送、保管の間中ずっとブラケットを掛けるための穴７を有している。
側壁３、４には、それぞれ、棚の直立部材（柱または壁レール、図示せず）の溝に係合するための２つのフック８、９がブラケット後部に形成されている。
【０００７】
側壁３、４の直線状の上端縁は、棚材（図示せず）が載る支持端縁１０を各個で形成し、かつ一緒に支持面１０を形成している。底壁５は、開口１１、１２を有しており、これらの開口は、ブラケット１に棚材をねじ止めするように働き得る。しかし、保持部材２を用いることで、ブラケット１に棚材をより容易に取り付けることができる。
保持部材２は、ブラケット１の前側部分の受け口部１３、１４に簡単に挿入または差し込み可能である。受け口部は、底壁５の開口を形成する凹所１３を含み、更に、凹所１３の境界の底壁５に窪み（ｉｍｐｒｅｓｓｉｏｎ）１４を含んでいる。
【０００８】
保持部材２の詳細は、図３の側面図と図４の立面図とに示されている。保持部材２は、金属帯片（ｓｔｒｉｐ）から打ち抜きされ、概ね２つの脚を有するＬ字形状に折り曲げられる。一方の脚は、棚材（図示せず）の各凹所に掛止される錠止部分（ｌｏｃｋｉｎｇ ｓｅｃｔｉｏｎ）１５を形成している。他方の脚は、ブラケット１の受け口部（ｒｅｃｅｐｔａｃｌｅ）１３、１４に掛止される概ねＺ字形状の繋留部分（ａｎｃｈｏｒｉｎｇ ｓｅｃｔｉｏｎ）１７を担持する遠位端を備えた細長の中央部分（ｃｅｎｔｒａｌ ｓｅｃｔｉｏｎ）１６を含んでいる。
【０００９】
図１は、ブラケット１の受け口部１３、１４に挿入された保持部材２を示している。中央部分１６は、側壁３、４間でしくり嵌まっている、底壁５に平らに載っており、Ｚ字形状の繋留部分１７は、その遠位端が凹所１３を通って延在し、内側へ向いた窪み１４の下に、ブラケット１の輪郭を超えて実質的に延在すること無く位置している。このように、保持部材２は、ブラケットの外観に影響を与えずにブラケット１に容易に取り付けることができる。保持部材２は、またブラケット１に係合することで、支持面１０と平行に移動するのを防止する。保持部材２の錠止部分１５は、支持面１０より上に突出し、棚材（図示せず）の各凹所に係合し、支持面１０上での棚材の滑りを、特に側壁３、４の上端縁に沿った長手方向の滑りを防止する。
【００１０】
ブラケット１は、金属薄板から素材片を打ち抜き、底壁５に対して側壁３、４を傾斜させるか折り曲げるかし、更に窪み１４をエンボス加工することで簡単に製造できる。通常、複数の等しいブラケット１が、多くの従来型のブラケットの支持端縁から延在するフックに妨げられることなく、長手支持端縁を互いに直接に隣接させた状態で、１つの金属薄板から打ち抜くことができる。したがって、打ち抜き屑量を減じることができ、安価に製造できる。
【００１１】
このように、本発明によるブラケット装置は、２つの異なる部材、すなわちブラケット１と保持部材２とから成っている。保持部材２は、ブラケット１の受け口部１３、１４内へ挿入するための繋留部分１７と、ブラケット１の支持面１０上の棚材に係合される錠止部分１５を含んでいる。このブラケット装置は、安価に製造でき、かつ支持面１０上での棚材の滑動が防止される。
【図面の簡単な説明】
【図１】
ブラケットと保持部材とを含む、棚用ブラケット装置の略示側面図。
【図２】
図１のブラケットの前面図。
【図３】
図１の保持部材の側面図。
【図４】
保持部材の立面図。
【国際公開パンフレット】
2004503322.tif 000003
2004503322.tif 000004
2004503322.tif 000005
2004503322.tif 000006
2004503322.tif 000007
2004503322.tif 000008
2004503322.tif 000009
【手続補正書】
【提出日】平成13年11月15日(2001.11.15)
【手続補正１】
【補正対象書類名】明細書
【補正対象項目名】特許請求の範囲
【補正方法】変更
【補正の内容】
【特許請求の範囲】
【請求項１】
棚用ブラケット装置であって、
底壁（５）および２つの側壁（３、４）を備えたＵ字形状横断面を有し、かつ棚材を担持する上部支持端縁（１０）を有するブラケット（１）、および
前記ブラケット（１）の受け口部（１３、１４）へ挿入する繋留部分（１７）を有し、かつ該繋留部分（１７）を前記受け口部（１３、１４）内へ挿入するときに、前記上部支持端縁（１０）より先方に突出する錠止部分（１５）を有する保持部材（２）を含む前記ブラケット装置において、
前記保持部材（２）が、概ねＬ字形状であり、かつ前記錠止部分（１５）を形成する一方の脚と、前記繋留部分（１７）を担持し、かつ該繋留部分を前記受け口部（１３、１４）に挿入するときに、前記底壁（５）上に載っている他方の脚とを有している、前記棚用ブラケット装置。
【請求項２】
前記ブラケット（１）が、切断または打ち抜きを施された金属薄板部材である、請求項１に記載されたブラケット装置。
【請求項３】
前記保持部材（２）が、打ち抜きを施された金属薄板部材であり、前記繋留部分（１７）が、前記他方の脚の概ねＺ字形状の遠位端である、請求項１または請求項２に記載されたブラケット装置。
【請求項４】
前記受け口部が、前記ブラケット（１）内に凹所（１３）を有し、かつ前記保持部材（２）が、Ｚ字形状の前記繋留部分（１７）を前記凹所（１３）に互いに錠止し合うように係合させることにより前記支持端縁（１０）に平行な方向における前記棚材の滑動を防止するように取り付けられた、請求項３に記載されたブラケット装置。
【国際調査報告】
2004503322.tif 000010
2004503322.tif 000011
2004503322.tif 000012